(57)【要約】【課題】電極と電気絶縁部との結合性が強固で、かつ安価な構成の処置部を備えた高周波処置具を提供すること。【解決手段】高周波処置具２は、電気的絶縁性を有する挿入部１２から突出された状態で生体組織の高周波処置を行う処置用電極部１７と、その処置用電極部１７の先端に該処置用電極部１７の直径寸法より大径な電気絶縁部１８とを備える処置部１３を有し、処置用電極部１７と電気絶縁部１８とを一体成形によって一体的に構成している。【選択図】図２
2007021024.tif 000002
【特許請求の範囲】
【請求項１】
電気的絶縁性を有する挿入部から突出された状態で生体組織の高周波処置を行う処置用電極部と、その処置用電極部の先端に該処置用電極部の外径寸法より大径な電気絶縁部とを備える処置部を有する高周波処置具において、
前記処置用電極部と前記電気絶縁部とを一体成形によって一体的に構成したことを特徴とする高周波処置具。
【請求項２】
前記処置用電極部は、該処置用電極部の一部に前記電気絶縁部が脱落することを防止する抜け止め部を有することを特徴とする請求項１に記載の高周波処置具。  
【発明の詳細な説明】
【技術分野】
【０００１】
本発明は、体腔内に挿入されて、粘膜等の生体組織を高周波で、切開、或いは凝固する高周波処置具に関する。
【背景技術】
【０００２】
近年、患者への侵襲を小さくするために開腹することなく、観察用の内視鏡を体腔内に導くトラカールと、処置具を処置部位に導くトラカールとを患者の腹部に穿刺して、内視鏡で処置具と処置部位とを観察しながら治療処置を行う腹腔鏡下外科手術が行われている。この手法では、生体組織に高周波電流を流して生体組織の切開、凝固等の処置を行う高周波電源装置と高周波処置具とを備えた高周波処置装置が使用される。また、口腔、肛門等から挿入される挿入部に可撓性を有する内視鏡においても、該内視鏡に設けられている処置具挿通チャンネルを介して体腔内に高周波処置具を導入させることによって生体組織の切開、凝固等の処置を行える。
【０００３】
高周波処置具においては、通電されている電極が粘膜に触れることによって切開、或いは凝固等の焼灼が行われる。そして、高周波処置具で処置を行う際、電気絶縁性シースの先端から電極が突出した状態にする。術者が例えば粘膜の凝固を行う際、高周波電流を通電させた電極を粘膜に接触させる。このことによって、粘膜の凝固を行える。一方、切開を行う際には高周波電流を通電させた電極を所定の切除方向に沿って移動させる。このことによって、粘膜の切開、切除を行える。
【０００４】
高周波処置具で切開を行う場合、術者は、切除対象部位の深部に位置する非切除組織と電極とが接触しないように、一定の深さを保ちながら電極を移動させて、切除対処部位の切除を行わなければならない。このように一定の深さを保ちながら電極を移動させて切除対処部位のみを切除する手技は熟練を要する手技の１つである。
【０００５】
特開平８−２９９３５５号公報には、粘膜の切開中において、切開すべきでない深部組織への刺入や不要な焼灼を防止し得る高周波ナイフが示されている。この高周波ナイフは、電極用ナイフの突出先端に、そのナイフよりも大径な絶縁チップを設けたものである。
【特許文献１】特開平８−２９９３５５号公報
【発明の開示】
【発明が解決しようとする課題】
【０００６】
しかしながら、前記特許文献１の高周波ナイフでは、膨隆部を先端に設けたナイフを、先端部分に球面を有する絶縁チップに設けられている貫通孔に嵌め込む工程と、ナイフの膨隆部が配置されている凹部に封止剤を塗布して固着させる工程とを経て、電極用ナイフの突出先端に絶縁チップが一体に設けられる。このため、電極用ナイフの突出先端に絶縁チップを一体に設けるのに手間と時間がかかるばかりでなく、歩留りが悪くコストアップの要因になっていた。また、凹部と貫通孔とを有する絶縁チップを安価に形成することも困難であった。
【０００７】
本発明は上記事情に鑑みてなされたものであり、電極と電気絶縁部との結合性が強固で、かつ安価な構成の処置部を備えた高周波処置具を提供することを目的にしている。
【課題を解決するための手段】
【０００８】
本発明の高周波処置具は、電気的絶縁性を有する挿入部から突出された状態で生体組織の高周波処置を行う処置用電極部と、その処置用電極部の先端に該処置用電極部の外径寸法より大径な電気絶縁部とを備える処置部を有する高周波処置具において、前記処置用電極部と前記電気絶縁部とを一体成形によって一体的に構成している。
【０００９】
この構成によれば、処置用電極部の先端部に大径な電気絶縁部を設けた処置部が一体成形によって、効率よく生産される。
【発明の効果】
【００１０】
本発明によれば、電極と電気絶縁部との結合性が強固で、かつ安価な構成の処置部を備えた高周波処置具を実現できる。
【発明を実施するための最良の形態】
【００１１】
以下、図面を参照して本発明の実施の形態を説明する。  
図１乃至図８は本発明の一実施形態にかかり、図１は高周波処置装置の構成を説明する図、図２は高周波処置具である高周波ナイフの構成を説明する図、図３は絶縁部付き処置用電極部に設けられる抜け止め部の一構成例を説明する図、図４は絶縁部付き処置用電極部に設けられる抜け止め部の他の構成を説明する図、図５は固定金型に処置用電極部を配置した状態を説明する図、図６は処置用電極部が配置された固定金型に対して移動金型を成型位置に配置させて成形材料を充填した状態を説明する図、図７は固定金型からランナー付きの絶縁部付き処置用電極部を取り出した状態を説明する図、図８は切開能と剛性とを考慮した絶縁部付き処置用電極部の構成例を説明する図である。
【００１２】
図１に示すように高周波処置装置１は、高周波処置具２と高周波電源３とを備えて構成されている。図に示す高周波処置具２は高周波ナイフであって、生体組織に高周波電流を流して生体組織の切開を行う。高周波電源３は、高周波処置具２に高周波電流を供給する。高周波電源３には高周波を発生する高周波発生回路と、この高周波を電力増幅するＨＦ出力アンプとが内蔵されている。ＨＦ出力アンプの２つの出力端がアクティブ電極３ａと患者電極３ｂとに接続されている。
【００１３】
高周波処置具２と高周波電源３とはアクティブコード４を介して電気的に接続されている。具体的に、アクティブコード４の一端部は高周波処置具２に設けられている電気的接続部５に着脱自在に接続され、他端部は高周波電源３に設けられているアクティブコード接続部であるアクティブ電極３ａに接続される。
【００１４】
高周波処置具２は患者６の腹部に刺入されたトラカール７を介して例えば腹腔内６ａに導入される。患者６の例えば背面側には広い面積で接触するように構成された対極板８が配置される。対極板８からは対極板コード８ａが延出されており、その端部は高周波電源３の対極板コード接続部である患者電極３ｂに接続される。
【００１５】
高周波電源３にはフットスイッチ９から延出する接続コード９ａが接続されるようになっている。フットスイッチ９のペダル部９ｂをオン操作することによって高周波電源３から高周波処置具に高周波電流が供給され、オフ操作することによって高周波電流の供給が停止されるようになっている。
【００１６】
具体的には、術者によってフットスイッチ９のペダル部９ｂがオン操作されたとき、高周波電流は、アクティブ電極３ａ、アクティブコード４、電気的接続部５、高周波処置具２の後述する処置用電極部から対極板８を介して患者電極３ｂへ帰還するように流れる。
【００１７】
図２に示すように高周波処置具２は、把持部１１と挿入部１２と処置部１３とを備えて構成されている。挿入部１２は把持部１１の先端面から所定量突出しており、処置部１３は挿入部１２の先端面から所定量突出している。
【００１８】
挿入部１２は硬性であり、挿入部本体１４と、接続管１５と、電極固定部材１６とで構成される。挿入部本体１４は挿入部１２の最外装を構成し、絶縁性を有する例えばセラミックやテフロン（登録商標）等の樹脂部材で構成されている。接続管１５は導電性を有する例えばステンレス製である。電極固定部材１６は導電性を有する例えばステンレス製の円柱状部材である。
【００１９】
把持部１１の例えば側部には電気的接続部５が設けられている。この電気的接続部５にはアクティブコード４の一端部に設けられているコネクタ部４ａが着脱自在に接続される。電気的接続部５は、導電性を有する電気的接点部５ａと、絶縁性を有する絶縁部５ｂとで主に構成されている。
【００２０】
電極固定部材１６は接続管１５の先端部に一体的に固定されている。このことによって、電極固定部材１６と接続管１５とは電気的に接続される。また、電極固定部材１６には処置部１３を構成する処置用電極部１７が例えば螺合によって一体固定されている。このことによって、電極固定部材１６と処置用電極部１７とは電気的に接続される。
【００２１】
接続管１５の先端部は挿入部本体１４の先端面より突出することがないように、言い換えれば先端面から所定量没状態となるように挿入部本体１４に一体的に配設されている。接続管１５の基端部は、把持部１１に一体的に固定されている。接続管１５の基端部には、把持部１１に設けられた電気的接続部５を構成する電気的接点部５ａが電気的に接続されている。したがって、電気的接続部５と、処置用電極部１７とは接続管１５、及び電極固定部材１６を介して電気的に接続された構成になっている。
【００２２】
処置部１３は、処置用電極部１７と、電気絶縁部１８とで構成されている。処置用電極部１７は導電性を有するステンレス等の金属部材で比較的細径の線材で構成され、高周波による切開処置を行う。一方、電気絶縁部１８は膨隆電気絶縁部であって、樹脂部材、或いはセラミック等の耐熱性電気絶縁部材で、処置用電極部１７の直径寸法より大径に形成されている。電気絶縁部１８の先端側部は生体組織に接触することを考慮して曲面形状、例えば半球面形状に構成されている。処置用電極部１７の先端側部には抜け止め部が設けられている。抜け止め部は、例えば図３に示すような凸部１７ｂ、又は図４に示すような凹部１７ｃで構成される。したがって、後述するように一体成形によって処置用電極部１７に設けられている抜け止め部を覆うように一点鎖線に示すような電気絶縁部１８を設けることによって、電気絶縁部１８が処置用電極部１７から脱落することが確実に防止される。なお、符号１７ａは雄ねじ部である。この雄ねじ部１７ａは電極固定部材１６に設けられた雌ねじ部に螺合する。
【００２３】
なお、処置用電極部１７と電極固定部材１６とを螺合によって一体的に構成する代わりに、電極固定部材と処置用電極部とを同部材で一体に構成するようにしてもよい。
【００２４】
図５乃至図７を参照して処置部１３の一体形成工程を説明する。  
まず、図５に示すように、例えば作業者によって、処置用電極部１７の基端部を破線に示すように固定金型２１の電極部配置穴２１ａに対向させる。その後、作業者は、電極部配置穴２１ａ内に処置用電極部１７を実線に示すように配置する。その後、作業者は、成形装置を動作させる。すると、移動金型２２が二点鎖線に示すように成形位置に移動されて、該移動金型２２のパーティング面と固定金型２１のパーティング面とが密着状態になる。この密着状態において、固定金型２１と移動金型２２とによって構成された電気絶縁部形成空間２３の所定位置に処置用電極部１７の凸部１７ｂが配置される。
【００２５】
なお、本実施形態において、電極部配置穴２１ａは例えばスリーブピン２４と、第１突き出しピン２５とで構成される。スリーブピン２４には処置用電極部１７の径寸法、及び第１突き出しピン２５に対応する貫通孔が形成されている。第１突き出しピン２５は電極部配置穴２１ａに配置される処置用電極部１７の長さ寸法に対応するように所定長さ寸法に形成されている。第１突き出しピン２５は、電極部配置穴２１ａに配置されている処置用電極部１７を電極部配置穴２１ａから取り外す際に使用される。符号２６は絶縁部材供給流路（以下、ランナーと記載）であり、電気絶縁部１８を構成する溶融された樹脂部材が供給される。符号２６ａは湯口（ゲートともいう）であり、溶融した樹脂部材がランナー２６から湯口２６ａを介して電気絶縁部形成空間２３内に充填される。符号２７は第２突き出しピンであり、ランナー２６内で冷却されて固化したランナー部材（図中の符号２８ａ）を固定金型２１のランナー２６から取り出す際に使用される。
【００２６】
次に、溶融した樹脂部材を湯口２６ａを介して電気絶縁部形成空間２３内に充填する。すると、図６に示すように電気絶縁部形成空間２３内に溶融した樹脂部材２８が所定量充填される。ここで、樹脂部材２８の充填を停止し、所定時間の間、所定の圧力を付与して冷却を行う。すると、溶融されていた樹脂部材２８が固化される。固化後、移動金型２２は再び所定位置に移動される。
【００２７】
次いで、移動金型２２の移動が完了すると、第１突き出しピン２５、２７が動作されて、図７に示すように電気絶縁部形成空間２３、及び電極部配置穴２１ａから処置用電極部１７に電気絶縁部１８を設けた処置部１３と、ランナー２６、及びゲート２６ａからランナー部２８ａとが固定金型２１から離型される。このとき、処置用電極部１７の先端部に一体に設けられている電気絶縁部１８にランナー部２８ａが一体に設けられている。この後、作業者は、例えば手でランナー部２８ａと電気絶縁部１８とを分離する。このことによって、前記図３に示した処置用電極部１７に電気絶縁部１８が一体な処置部１３が得られる。
【００２８】
この結果、処置部１３を備えた高周波処置具２によれば、術者によってフットスイッチ９のペダル部９ｂがオン操作されたとき、高周波電流は、アクティブ電極３ａ、アクティブコード４、コネクタ部４ａ、電気的接点部５ａ、接続管１５、電極固定部材１６、処置部１３の処置用電極部１７から対極板８を介して患者電極３ｂへ帰還するように流れる。
【００２９】
このように、電気絶縁部と処置用電極部とを備える処置部を一体成形で形成することによって、電気絶縁部と処置用電極部との接合強度を向上させた処置部を安定し効率よく安価に得ることができる。この結果、この処置部を設けた高周波処置具においては、膨隆電気絶縁部を組織に引っ掛けながら処置用電極部を移動させて切開を行ったとき、組織からかかる負荷によって、該膨隆電気絶縁部が破壊されることや、処置用電極部から脱落することが確実に防止される。  
本実施形態においては高周波処置具２の挿入部１２を硬性であるとしているが、高周波処置具の挿入部が軟性な構成であってもよい。
【００３０】
なお、図８に示すように処置用電極部１７Ａの先端側の径寸法を例えば連続的に変化させて処置部１３Ａを構成するようにしてもよい。図８は処置部を構成する処置用電極部の他の構成例を説明する図である。
【００３１】
図に示すように本実施形態の処置部１３Ａにおいては、処置用電極部１７Ａの先端側にテーパー面部３１を設けている。したがって、処置用電極部１７Ａにおいては、断面積が先端側から基端部近傍にいくにしたがって連続的に大きくなるように変化している。その他の構成は前記実施形態と同様であり、同部材には同符号を付して説明を省略する。
【００３２】
この構成の処置部１３Ａにおいては、処置用電極部１７Ａのテーパー面部３１を備える先端側部３１ａを組織に接触させた状態と、処置用電極部１７Ａの基端側部３２を組織に接触させた状態とを比べたとき、先端側部３１ａと組織との接触面積が基端側部３２と組織との接触面積より小さくなっている。したがって、処置部１３Ａの処置用電極部１７Ａにおいては機械的強度を低下させることなく、切開能が向上される。
【００３３】
この結果、処置用電極部１７Ａを有する処置部１３Ａを備えた高周波処置具によれば、術者によってフットスイッチ９のペダル部９ｂがオン操作されたとき、高周波電流は、アクティブ電極３ａ、アクティブコード４、コネクタ部４ａ、電気的接点部５ａ、接続管１５、電極固定部材１６、処置部１３Ａを構成する処置用電極部１７Ａのテーパー面部３１から対極板８を介して患者電極３ｂへ帰還するように流れる。
【００３４】
このように、膨隆電気絶縁部と処置用電極部とを備える処置部を一体成形で形成することによって、電極部の径寸法や電極形状等を比較的自由に設計して、所望の特性を有する処置用電極部を備えた処置部を得ることができる。その他の作用及び効果は前記実施形態と同様である。
【００３５】
また、処置部の構成は処置用電極部１７と、電気絶縁部１８との構成に限定されるものではなく、図９乃至図１１に示す構成の処置部や、図１２乃至図１４に示す構成の処置部であってもよい。
【００３６】
図９乃至図１１を参照して処置部の他の構成を説明する。なお、図９は処置部の構成、及びその処置部を構成する処置用電極部の構成を説明する図、図１０は処置部の構成を説明する正面図、図１１は固定金型の電極部配置穴に処置用電極部を配置した状態を説明する図である。
【００３７】
図９に示すように本実施形態の処置部１３Ｂは、膨隆部４１と棒状部４２とを備えて構成されている。膨隆部４１は膨隆電気絶縁部１８Ａで構成される。棒状部４２は処置用電極部１７Ｂ、及び導電部被覆絶縁部１８Ｂを備えて構成される。処置部１３Ｂにおいては、膨隆部４１の基端面側、及び、棒状部４２の先端部側の外表面に処置用電極部１７Ｂが設けられている。棒状部４２において処置用電極部１７Ｂは所定幅寸法で周状に設けられている。
【００３８】
処置用電極部１７Ｂは円環状電極４３として構成されている。円環状電極４３には高周波電流を供給するための導電部４４が備えられている。本実施形態において円環状電極４３は、鍔部４３ａと管部４３ｂとを備えている。導電部４４は管部４３ｂ内に配置可能なように細径である。導電部４４の先端側部には長手軸に対して直交する方向に所定量突出した例えば一対の先端凸部４４ａが設けられている。そして、図１０に示すように先端凸部４４ａの外側面は円環状電極４３を構成する管部４３ｂの内周面４３ｃに例えば半田によって電気的に接合されている。
【００３９】
円環状電極４３の管部４３ｂから突出する導電部４４の外周面側には全周に渡って導電部被覆絶縁部１８Ｂが略均等に設けられている。つまり、導電部被覆絶縁部１８Ｂの長手方向中央部に導電部４４が設けられている。なお、導電部４４の基端側部は棒状部４２の基端部を構成する雄ねじ部１７ａとして構成されている。
【００４０】
図１１に示すように処置用電極部１７Ｂを構成する円環状電極４３、及び導電部４４と棒状部４２を構成する雄ねじ部１７ａとを、固定金型２１Ａの電極部配置穴２１ｂに配置する。この配置状態において、円環状電極４３の鍔部４３ａは、スリーブピン２４の先端凹部２４ａ内に配置される。また、円環状電極４３の管部４３ｂの外周面は電極部配置穴２１ｂの内周面に密着配置される。また、雄ねじ部１７ａを備える棒状部４２の基端部も電極部配置穴２１ｂに密着配置される。そして、移動金型２２が二点鎖線に示すように成形位置まで移動されて、該移動金型２２のパーティング面と固定金型２１Ａのパーティング面とが密着状態になると、図中の点ハッチングで示した部分が電気絶縁部形成空間２３Ａとして構成される。
【００４１】
この電気絶縁部形成空間２３Ａ内には樹脂部材が充填される。その後、固定金型２１Ａから膨隆電気絶縁部１８Ａと、処置用電極部１７Ｂと、導電部被覆絶縁部１８Ｂとを設けた処置部１３Ｂ、及びランナー部材が離型され、ランナー部材と膨隆電気絶縁部１８Ａとが分離される。このことによって、前記図９に示したように膨隆電気絶縁部１８Ａと、処置用電極部１７Ｂと、導電部被覆絶縁部１８Ｂとを備えた処置部１３Ｂを得られる。
【００４２】
この結果、処置用電極部１７Ｂを設けた処置部１３Ｂを備えた高周波処置具によれば、術者によってフットスイッチ９のペダル部９ｂがオン操作されたとき、高周波電流は、アクティブ電極３ａ、アクティブコード４、コネクタ部４ａ、電気的接点部５ａ、接続管１５、電極固定部材１６、導電部４４、処置用電極部１７Ｂの円環状電極４３から対極板８を介して患者電極３ｂへ帰還するように流れる。
【００４３】
このように、処置用電極部を円環状電極と、該円環状電極に電気的に接合される導電部とで構成することによって、処置部を構成する棒状部先端側の外周面に所定の幅寸法の周状電極部を配設することができる。また、処置部を膨隆部と棒状部とで構成し、棒状部の中央部に導電部を設ける構成にしたことによって、処置部の剛性を向上させることができる。
【００４４】
なお、本実施形態においては電極部を構成する円環状電極に鍔部を設ける構成を示しているが、鍔部を設けることなく管部だけで円環状電極を構成するようにしてもよい。このことによって、処置部を構成する棒状部の外周面所定位置に所定幅寸法の周状電極部を配設することができる。また、本実施形態においては、円環状電極４３が膨隆電気絶縁部１８Ａと、導電部被覆絶縁部１８Ｂとによって挟持される構成になるので円環状電極が絶縁部の抜け止め部を兼ねている。
【００４５】
図１２乃至図１４を参照して処置部の別の構成を説明する。なお、図１２は処置部の構成、及びその処置用電極部の構成を説明する図、図１３は図１２の処置部の処置用電極部をＸＩＩＩ−ＸＩＩＩ線で切断した断面図、図１４は固定金型の電極部配置穴に処置用電極部を配置した状態を説明する図である。
【００４６】
図１２、及び図１３に示すように本実施形態の処置部１３Ｃは、膨隆部４１Ａと棒状部４２Ａとを備えて構成されている。膨隆部４１Ａは膨隆電気絶縁部１８Ｃで構成される。棒状部４２Ａは処置用電極部１７Ｃ、及び電極被覆絶縁部１８Ｄとを備えて構成される。処置部１３Ｃにおいては、棒状部４２Ａの側面長手方向に所定幅寸法の細長な処置用電極部１７Ｃが設けられている。処置用電極部１７Ｃは長手方向に直交する方向に突出した凸部４５ａを長手方向に備えた円柱状電極４５として構成されている。円柱状電極４５には抜け止め部となる凹部４５ｂが設けられている。
【００４７】
図１３に示すように棒状部４２Ａの外表面は、円柱状電極４５の凸部４５ａと電極被覆絶縁部１８Ｄとによって構成されている。つまり、円柱状電極４５の周囲には、該円柱状電極４５の凸部４５ａの外周面部だけが露出するように、電極被覆絶縁部１８Ｄが設けられている。なお、導電部４４の基端側部は棒状部４２Ａの基端部を構成する雄ねじ部１７ａとして構成されている。
【００４８】
図１４に示すように処置用電極部１７Ｃを構成する円柱状電極４５を、固定金型２１Ｂの電極部配置穴２１ｃに配置する。この配置状態において、円柱状電極４５の凸部４５ａの外周面部が電極部配置穴２１ｃの内周面に密着配置される。また、雄ねじ部１７ａを備える棒状部４２Ａの基端部も電極部配置穴２１ｃに密着配置される。そして、移動金型２２が二点鎖線に示すように成形位置まで移動されて、該移動金型２２のパーティング面と固定金型２１Ｂのパーティング面とが密着状態になると、図中の点ハッチングで示した部分が電気絶縁部形成空間２３Ｂとして構成される。
【００４９】
この電気絶縁部形成空間２３Ｂ内には樹脂部材が充填される。その後、固定金型２１Ｂから膨隆電気絶縁部１８Ｃと、処置用電極部１７Ｃと、電極被覆絶縁部１８Ｄとを設けた処置部１３Ｃ、及びランナー部材が離型され、ランナー部材と膨隆電気絶縁部１８Ｃとが分離される。このことによって、前記図１２に示したように膨隆電気絶縁部１８Ｃと、処置用電極部１７Ｃと、電極被覆絶縁部１８Ｄとを備えた処置部１３Ｃを得られる。
【００５０】
この結果、処置用電極部１７Ｃを設けた処置部１３Ｃを備えた高周波処置具によれば、術者によってフットスイッチ９のペダル部９ｂがオン操作されたとき、高周波電流は、アクティブ電極３ａ、アクティブコード４、コネクタ部４ａ、電気的接点部５ａ、接続管１５、電極固定部材１６、処置用電極部１７Ｃを構成する円柱状電極４５の凸部４５ａから対極板８を介して患者電極３ｂへ帰還するように流れる。
【００５１】
このように、処置用電極部を凸部を有する円柱状電極で構成することによって、処置部を構成する棒状部の所望する外周面に、所定の幅寸法の長手方向電極部を配設することができる。また、棒状部の一部に円柱状電極部に設けられている凸部の外周面部が露出される構成にしたことによって、処置部の剛性を向上させることができる。なお、本実施形態においては凸部の幅寸法を適宜設定することをによって、切開能の調整を行える。
【００５２】
ところで、上述した実施形態においては処置部を一体成形で形成することによって、処置用電極部の先端側に膨隆電気絶縁部を設ける構成を示しているが、処置部の膨隆電気絶縁部を図１５、図１６に示すように構成するようにしてもよい。なお、図１５は処置用電極部の先端部に電気絶縁体を設ける構成の処置部を示す図、図１６は処置用電極部の先端部に電気絶縁体のコーティングを施した処置部を示す図である。
【００５３】
図１５に示す処置部１３Ｄは、処置用電極部を構成する電極５１と、電気絶縁部を構成する膨隆部被覆絶縁体カバー５２とで構成されている。電極５１は膨隆部５１ａと処置用電極部５１ｂとを備えている。膨隆部５１ａは処置用電極部５１ｂの外径寸法より大径で先端側部が曲面形状であり、例えば半球面形状に構成されている。膨隆部被覆絶縁体カバー５２は一対の絶縁カバー部材５２ａによって構成されている。絶縁カバー部材５２ａは耐熱性に優れたセラミック材料で、膨隆部５１ａの半球面形状部、及び基端面で構成される外形部を被覆するように所定の肉厚で構成されている。一対の絶縁カバー部材５２ａは、電極５１の膨隆部５１ａに例えばロウ付けによって被覆接合される。符号５１ｃは雄ねじ部である。この雄ねじ部５１ｃは電極固定部材１６に設けられた雌ねじ部に螺合する。
【００５４】
この構成によれば、セラミック材料で形成された一対の絶縁カバー部材５２ａを電極５１の膨隆部５１ａに接合して膨隆部被覆絶縁体カバー５２を設けて電気絶縁部を有する処置部１３Ｄを構成している。このことによって、電気絶縁部と処置用電極部との接合強度を向上させた処置部を得ることができる。
【００５５】
なお、図１６に示す処置部１３Ｅにおいては、電極５１の膨隆部５１ａに膨隆部被覆絶縁体５２を設ける代わりに、膨隆部５１ａの表面に所定の厚み寸法の電気絶縁被覆部５３を設けるようにしてもよい。電気絶縁被覆部５３は耐熱性に優れたセラミックコーティング剤やフッ素樹脂コーティング剤である。
【００５６】
尚、本発明は、以上述べた実施形態のみに限定されるものではなく、発明の要旨を逸脱しない範囲で種々変形実施可能である。
【図面の簡単な説明】
【００５７】
【図１】図１乃至図８は本発明の一実施形態にかかり、図１は高周波処置装置の構成を説明する図
【図２】高周波処置具である高周波ナイフの構成を説明する図
【図３】絶縁部付き処置用電極部に設けられる抜け止め部の一構成例を説明する図
【図４】絶縁部付き処置用電極部に設けられる抜け止め部の他の構成を説明する図
【図５】固定金型に処置用電極部を配置した状態を説明する図
【図６】処置用電極部が配置された固定金型に対して移動金型を成型位置に配置させて成形材料を充填した状態を説明する図
【図７】固定金型からランナー付きの絶縁部付き処置用電極部を取り出した状態を説明する図
【図８】切開能と剛性とを考慮した絶縁部付き処置用電極部の構成例を説明する図
【図９】図９乃至図１１は処置部の他の構成を説明する図であり、図９は処置部の構成、及びその処置部を構成する処置用電極部の構成を説明する図
【図１０】処置部の構成を説明する正面図
【図１１】固定金型の電極部配置穴に処置用電極部を配置した状態を説明する図
【図１２】図１２乃至図１４は処置部の別の構成を説明する図であり、図１２は処置部の構成、及びその処置用電極部の構成を説明する図
【図１３】図１２の処置部の処置用電極部をＸＩＩＩ−ＸＩＩＩ線で切断した断面図
【図１４】固定金型の電極部配置穴に処置用電極部を配置した状態を説明する図
【図１５】処置用電極部の先端部に電気絶縁体を設ける構成の処置部を示す図
【図１６】処置用電極部の先端部に電気絶縁体のコーティングを施した処置部を示す図
【符号の説明】
【００５８】
２…高周波処置具    
１１…把持部    
１２…挿入部    
１３…処置部    
１７…処置用電極部    
１７ｂ…凸部
１８…電気絶縁部
【図１】
2007021024.tif 000003
【図２】
2007021024.tif 000004
【図３】
2007021024.tif 000005
【図４】
2007021024.tif 000006
【図５】
2007021024.tif 000007
【図６】
2007021024.tif 000008
【図７】
2007021024.tif 000009
【図８】
2007021024.tif 000010
【図９】
2007021024.tif 000011
【図１０】
2007021024.tif 000012
【図１１】
2007021024.tif 000013
【図１２】
2007021024.tif 000014
【図１３】
2007021024.tif 000015
【図１４】
2007021024.tif 000016
【図１５】
2007021024.tif 000017
【図１６】
2007021024.tif 000018